(57)【要約】【課題】タッチパネル機能を利用したユーザー操作によりページ順を変更する作業において、その操作性を更に改善する。【解決手段】  情報処理装置は、表示部と、記憶部と、タッチパネルと、操作受付部と、動作制御部とを備える。動作制御部は、表示部に、複数のページが予め定められた方向にページ順に並んで配置される第１の領域、および、複数のページのうちページ順の入れ替え候補となるページが配置される第２の領域を含むプレビュー画面を表示させる。【選択図】図４
2017079002.tif 000002
【特許請求の範囲】
【請求項１】
表示部と、
前記表示部による表示対象となるデータを記憶する記憶部と、
前記表示部の前面に配置されるタッチパネルと、
前記タッチパネルに対するユーザー操作を受け付ける操作受付部と、
前記操作受付部が受け付けたユーザー操作に応じて、前記表示部による表示動作および前記記憶部による記憶動作を制御する動作制御部と、を備え、
前記記憶部は、複数のページからなる画像データを前記表示部による表示対象となるデータとして記憶し、
前記動作制御部は、（i）前記表示部に、前記複数のページが予め定められた方向にページ順に並んで配置される第１の領域、および、前記複数のページのうちページ順の入れ替え候補となるページが配置される第２の領域を含むプレビュー画面を表示させ、（ii）前記操作受付部が前記第１の領域に配置されたページ内の一点を始点とし、前記第２の領域の一点を終点としたスライド操作を受け付けた場合、前記表示部に、前記始点に示されるページを前記第２の領域に表示させるとともに、前記第１の領域から前記始点に示されるページを削除させ、（iii）前記操作受付部が前記第２の領域に配置されたページ内の一点を始点とし、前記第１の領域の一点を終点としたスライド操作を受け付けた場合、前記表示部に、前記始点に示されるページを前記終点の位置に対応した前記第１の領域内の位置に表示させ、（iv）前記操作受付部が予め定められた操作を受け付けた場合、前記記憶部に、前記画像データにおけるページ順を、前記第１の領域において前記予め定められた方向に並べられたページの順序に変更させる、情報処理装置。
【請求項２】
前記動作制御部は、（i）前記操作受付部が前記第１の領域に配置されたページ内の一点を始点とし、前記第２の領域の一点を終点としたスライド操作を受け付けた場合、前記記憶部に、前記始点に示されるページの前記第１の領域において並べられた順序を記憶させ、（ii）前記操作受付部が前記第２の領域に配置されたページ内の一点を始点とし、前記第１の領域に向かう方向とは反対側の方向に向かうスライド操作を受け付けた場合、前記表示部に、前記始点に示されるページを前記記憶部に記憶された順序で前記第１の領域に並ぶように表示させる、請求項１に記載の情報処理装置。
【請求項３】
前記動作制御部は、（i）前記第２の領域に配置された２つのページ内の各一点を始点としたピンチイン操作を受け付けた場合、前記始点に示される２つのページに応じて合成ページを生成するとともに、前記表示部に前記合成ページを前記第２の領域内に表示させ、（ii）前記操作受付部が前記第２の領域に配置された前記合成ページ内の一点を始点とし、前記第１の領域の一点を終点としたスライド操作を受け付けた場合、前記表示部に、前記始点に示される合成ページに合成された２つのページを前記終点の位置に対応した前記第１の領域内の位置に表示させる、請求項１または請求項２に記載の情報処理装置。
【請求項４】
前記動作制御部は、（i）前記操作受付部が前記第２の領域内におけるスライド操作を受け付けた場合、前記表示部に、前記スライド操作における軌跡と交差した前記第２の領域に配置された複数のページ応じて合成ページを生成するとともに、前記表示部に前記合成ページを前記第２の領域内に表示させ、（ii）前記操作受付部が前記第２の領域に配置された前記合成ページ内の一点を始点とし、前記第１の領域の一点を終点としたスライド操作を受け付けた場合、前記表示部に、前記始点に示される合成ページに合成された複数のページを前記終点の位置に対応した前記第１の領域内の位置に前記軌跡と交差した順序で並べて表示させる、請求項１乃至請求項３の何れか１項に記載の情報処理装置。
【請求項５】
コンピューターを、
表示部の前面に配置されるタッチパネルに対するユーザー操作を受け付ける操作受付部と、
前記操作受付部が受け付けたユーザー操作に応じて、前記表示部による表示動作、および、複数のページからなる画像データを表示部による表示対象となるデータとして記憶する記憶部による記憶動作を制御する動作制御部として機能させ、
更に、前記動作制御部が、（i）前記表示部に、前記複数のページが予め定められた方向にページ順に並んで配置される第１の領域、および、前記複数のページのうちページ順の入れ替え候補となるページが配置される第２の領域を含むプレビュー画面を表示させ、（ii）前記操作受付部が前記第１の領域に配置されたページ内の一点を始点とし、前記第２の領域の一点を終点としたスライド操作を受け付けた場合、前記表示部に、前記始点に示されるページを前記第２の領域に表示させるとともに、前記第１の領域から前記始点に示されるページを削除させ、（iii）前記操作受付部が前記第２の領域に配置されたページ内の一点を始点とし、前記第１の領域の一点を終点としたスライド操作を受け付けた場合、前記表示部に、前記始点に示されるページを前記終点の位置に対応した前記第１の領域内の位置に表示させ、（iv）前記操作受付部が予め定められた操作を受け付けた場合、前記記憶部に、前記画像データにおけるページ順を、前記第１の領域において前記予め定められた方向に並べられたページの順序に変更させるようにコンピューターを機能させる、情報処理プログラム。
【発明の詳細な説明】
【技術分野】
【０００１】
本発明は、情報処理装置および情報処理プログラムに関し、特に、複数のページからなる画像データのページ順を変更する技術に関する。
【背景技術】
【０００２】
下記の特許文献１には、画像データに含まれる複数のページの一覧を示すプレビュー画面をタッチパネル機能を備えるディスプレイに表示し、当該プレビュー画面において受け付けたドラッグアンドドロップ操作に応じて、ページ順を変更する技術が開示されている。これにより、直感的かつ簡易なユーザー操作によるページ順の変更が可能となる。
【先行技術文献】
【特許文献】
【０００３】
【特許文献１】特開２０１２−７４８１０号公報
【発明の概要】
【発明が解決しようとする課題】
【０００４】
タッチパネル機能を利用したユーザー操作によりページ順を変更する作業において、更なる操作性の改善が求められている。例えば、上記の特許文献１に開示される技術では、ページ順序を変更しようとするページをドラッグした後に、そのページをページ順の入れ替え候補として保留しておくことができない。
【０００５】
本発明は、上記の事情に鑑みなされたものであり、タッチパネル機能を利用したユーザー操作によりページ順を変更する作業において、更なる操作性の改善を可能にすることを目的とする。
【課題を解決するための手段】
【０００６】
本発明の一局面にかかる情報処理装置は、表示部と、前記表示部による表示対象となるデータを記憶する記憶部と、前記表示部の前面に配置されるタッチパネルと、前記タッチパネルに対するユーザー操作を受け付ける操作受付部と、前記操作受付部が受け付けたユーザー操作に応じて、前記表示部による表示動作および前記記憶部による記憶動作を制御する動作制御部と、を備え、前記記憶部は、複数のページからなる画像データを前記表示部による表示対象となるデータとして記憶し、前記動作制御部は、（i）前記表示部に、前記複数のページが予め定められた方向にページ順に並んで配置される第１の領域、および、前記複数のページのうちページ順の入れ替え候補となるページが配置される第２の領域を含むプレビュー画面を表示させ、（ii）前記操作受付部が前記第１の領域に配置されたページ内の一点を始点とし、前記第２の領域の一点を終点としたスライド操作を受け付けた場合、前記表示部に、前記始点に示されるページを前記第２の領域に表示させるとともに、前記第１の領域から前記始点に示されるページを削除させ、（iii）前記操作受付部が前記第２の領域に配置されたページ内の一点を始点とし、前記第１の領域の一点を終点としたスライド操作を受け付けた場合、前記表示部に、前記始点に示されるページを前記終点の位置に対応した前記第１の領域内の位置に表示させ、（iv）前記操作受付部が予め定められた操作を受け付けた場合、前記記憶部に、前記画像データにおけるページ順を、前記第１の領域において前記予め定められた方向に並べられたページの順序に変更させる、情報処理装置である。
【０００７】
また、本発明の別の一局面にかかる情報処理プログラムは、コンピューターを、表示部の前面に配置されるタッチパネルに対するユーザー操作を受け付ける操作受付部と、前記操作受付部が受け付けたユーザー操作に応じて、前記表示部による表示動作、および、複数のページからなる画像データを表示部による表示対象となるデータとして記憶する記憶部による記憶動作を制御する動作制御部として機能させ、更に、前記動作制御部が、（i）前記表示部に、前記複数のページが予め定められた方向にページ順に並んで配置される第１の領域、および、前記複数のページのうちページ順の入れ替え候補となるページが配置される第２の領域を含むプレビュー画面を表示させ、（ii）前記操作受付部が前記第１の領域に配置されたページ内の一点を始点とし、前記第２の領域の一点を終点としたスライド操作を受け付けた場合、前記表示部に、前記始点に示されるページを前記第２の領域に表示させるとともに、前記第１の領域から前記始点に示されるページを削除させ、（iii）前記操作受付部が前記第２の領域に配置されたページ内の一点を始点とし、前記第１の領域の一点を終点としたスライド操作を受け付けた場合、前記表示部に、前記始点に示されるページを前記終点の位置に対応した前記第１の領域内の位置に表示させ、（iv）前記操作受付部が予め定められた操作を受け付けた場合、前記記憶部に、前記画像データにおけるページ順を、前記第１の領域において前記予め定められた方向に並べられたページの順序に変更させるようにコンピューターを機能させる、情報処理プログラムである。
【発明の効果】
【０００８】
本発明によれば、タッチパネル機能を利用したユーザー操作によりページ順を変更する作業において、更なる操作性の改善が可能となる。
【図面の簡単な説明】
【０００９】
【図１】本発明の一実施形態にかかる情報処理装置の一例としての画像形成装置の構成を示す斜視図である。
【図２】本発明の一実施形態にかかる情報処理装置の一例としての画像形成装置の内部構成を示すブロック図である。
【図３】本発明の一実施形態にかかる情報処理装置の一例としての画像形成装置の表示部が表示する読み取り結果表示画面の一例を示す図である。
【図４】本発明の一実施形態にかかる情報処理装置の一例としての画像形成装置の動作の流れを示すフローチャートである。
【図５】（Ａ）〜（Ｃ）は、本発明の一実施形態にかかる情報処理装置の一例としての画像形成装置の表示部が表示するプレビュー画面一例を示す図である。
【図６】（Ａ）〜（Ｃ）は、本発明の一実施形態にかかる情報処理装置の一例としての画像形成装置の表示部が表示するプレビュー画面一例を示す図である。
【図７】（Ａ）および（Ｂ）は、本発明の一実施形態にかかる情報処理装置の一例としての画像形成装置の表示部が表示するプレビュー画面一例を示す図である。
【図８】本発明の変形例にかかる情報処理装置の一例としての画像形成装置の動作の流れを示すフローチャートである。
【図９】（Ａ）および（Ｂ）は、本発明の変形例にかかる情報処理装置の一例としての画像形成装置の表示部が表示するプレビュー画面一例を示す図である。
【図１０】（Ａ）および（Ｂ）は、本発明の変形例にかかる情報処理装置の一例としての画像形成装置の表示部が表示するプレビュー画面一例を示す図である。
【図１１】（Ａ）〜（Ｃ）は、本発明の変形例にかかる情報処理装置の一例としての画像形成装置の表示部が表示するプレビュー画面一例を示す図である。
【発明を実施するための形態】
【００１０】
以下、本発明の一実施形態にかかる情報処理装置および情報処理プログラムについて図面を参照して説明する。
【００１１】
図１は、本発明の一実施形態にかかる情報処理装置の一例としての画像形成装置の構成を示す斜視図である。図２は、画像形成装置の内部構成を示すブロック図である。
【００１２】
画像形成装置１０は、例えば、コピー機能、プリンター機能、スキャナー機能、及びファクシミリ機能などの複数の機能を兼ね備えた複合機である。画像形成装置１０は、装置本体１１と、装置本体１１の上方に配置された画像読取部１１０と、画像読取部１１０と装置本体１１との間に設けられた連結部１２とから概略構成される。
【００１３】
装置本体１１は、画像形成部１２０や給紙部１３などを備えて構成されている。
【００１４】
画像形成装置１０が画像読取動作を行う場合、動作制御部１０２による制御のもと、画像読取部１１０が原稿載置台１１１に載置された原稿束を順次読み取り、複数のページからなる画像データを生成する。当該画像データは、記憶部１６０に記憶される。
【００１５】
画像形成装置１０が画像形成動作を行う場合は、記憶部１６０に記憶された画像データなどに基づいて、動作制御部１０２による制御のもと、画像形成部１２０が給紙部１３から給紙される記録紙にトナー像を形成する。その後、記録紙上に形成されたトナー像は、不図示の定着部により熱定着される。定着処理の完了した画像形成済みの記録紙は、排出トレイ１４に排出される。
【００１６】
画像形成装置１０の外郭を構成する筐体の前面には、表示部１３０および操作部１５０が配置されている。表示部１３０は、液晶ディスプレイ（ＬＣＤ：Liquid Crystal Display）や有機ＥＬ（ＯＬＥＤ：Organic Light-Emitting Diode）ディスプレイを含んで構成される。表示部１３０は動作制御部１０２による制御のもと、記憶部１６０に記憶された画像データに含まれる複数の画像データを示すプレビュー画面などを表示する。
【００１７】
表示部１３０の前面には、タッチパネル１４０が配置されている。タッチパネル１４０は、所謂抵抗膜方式や静電容量方式などのタッチパネルであって、タッチパネル１４０上におけるユーザーによる接触（タッチ）をその接触位置とともに検知する。タッチパネル１４０は、ユーザーによる接触を検知すると、その接触点の座標位置を示す検知信号を操作受付部１０３などに出力する。なお、タッチパネル１４０には、画面への直接の接触がなくてもユーザーの指などが画面に対して一定距離まで接近した場合に当該指などを検出するタッチパネルも含まれる。このため、本実施形態でいう「接触」には、画面への接触がなくても指などが上記一定距離まで接近したことがタッチパネル１４０の機能により検出される状態も、実質的に接触したとして含まれるものとする。
【００１８】
操作部１５０は、例えば、メニューを呼び出すメニューキー、メニューを構成するＧＵＩのフォーカスを移動させる矢印キー、メニューを構成するＧＵＩに対して確定操作を行う決定キーなどを備えるハードキーである。
【００１９】
記憶部１６０は、ＨＤＤ（Hard Disk Drive）などの大容量の記憶装置である。
【００２０】
通信部１７０は、無線ＬＡＮボード等の通信モジュールから構成されるネットワークインターフェイスである。
【００２１】
画像形成装置１０は、更に、制御ユニット１００を備えている。制御ユニット１００は、（Central Processing Unit）、ＲＡＭ(Random Access Memory）、及びＲＯＭ（Read Only Memory）等から構成される。制御ユニット１００は、上記のＲＯＭ又は記憶部１６０に記憶された情報処理プログラムが上記のＣＰＵに実行されることにより、制御部１０１、動作制御部１０２、操作受付部１０３、および通信制御部１０４として機能する。なお、制御ユニット１００の制御部１０１、動作制御部１０２、操作受付部１０３、および通信制御部１０４は、情報処理プログラムに基づく動作によらず、それぞれハード回路により構成されてもよい。
【００２２】
制御部１０１は、画像形成装置１０の全体的な動作制御を司る。制御部１０１は、画像読取部１１０、画像形成部１２０、表示部１３０、タッチパネル１４０、操作部１５０、記憶部１６０、および通信部１７０などと接続されている。制御部１０１は、接続されている上記各機構の動作制御や、各機構との間での信号又はデータの送受信を行う。
【００２３】
操作受付部１０３は、タッチパネル１４０から出力される検知信号に基づき、タッチパネル１４０に対するユーザー操作を受け付ける機能を有する。また、操作受付部１０３は、ハードキー等の操作部１５０を用いたユーザー操作を受け付ける機能を有する。
【００２４】
ここでユーザー操作には、タッチ操作、スライド操作（フリック操作やスワイプ操作を含む）、ドラッグ操作、ピンチアウト操作、ピンチイン操作などがある。例えば、ユーザーがタッチパネル１４０上に指を接触させ、その後その接触位置から指を離すと、タッチパネル１４０は、接触を検知した位置を示す検知信号を操作受付部１０３に出力する。操作受付部１０３は、当該検知信号を受け、ユーザーにより入力されたユーザー操作がタッチ操作であることを特定し、当該タッチ操作を受け付ける。また、タッチパネル１４０上に指を接触させた状態で指を移動させると、タッチパネル１４０は、最初に接触を検出した初期位置から最後に接触を検出した最終位置までの各移動位置を示す検知信号を操作受付部１０３に出力する。操作受付部１０３は、当該検知信号を受け、ユーザーにより入力されたユーザー操作がスライド操作であることを特定し、当該スライド操作を受け付ける。
【００２５】
通信制御部１０４は、通信部１７０による通信動作を制御する機能を有する。通信部１７０は、通信制御部１０４による制御のもと、ネットワークを介して画像形成装置１０と接続されたＰＣ（Personal Computer）や他の画像形成装置との間でデータの送受信を行う。
【００２６】
動作制御部１０２は、表示部１３０による表示動作や記憶部１６０による記憶動作を制御する機能を有する。
【００２７】
図３は、表示部１３０が表示する読み取り結果表示画面の一例を示す図である。操作受付部１０３が画像読取指示を受け付けた場合、画像読取部１１０が原稿載置台１１１に載置された原稿束を順次読み取って、複数のページからなる画像データを生成する。その後、表示部１３０は、動作制御部１０２の制御のもと図３に示す読み取り結果表示画面Ｄ１を表示する。当該読み取り結果表示画面Ｄ１には、画像読取部１１０が読み取った複数のページａ１〜ａ６が予め定められた方向である右方向にページ順に並んで配置されている。
【００２８】
続いて、上記の構成を備える画像形成装置１０の動作について説明する。図４は、画像形成装置１０の動作の流れを示すフローチャートである。
【００２９】
操作受付部１０３が画像読取指示を受け付けると（ステップＳ１０においてＹＥＳ）、動作制御部１０２は、画像読取部１１０を制御して画像読取処理を実行する（ステップＳ１１）。そして、動作制御部１０２は、表示部１３０に、ステップＳ１１の処理で読み取ったページが示された読み取り結果表示画面を表示させる（ステップＳ１２）。
【００３０】
ユーザーは、この読み取り結果表示画面を閲覧して、所望する読み取り結果が得られているか否かを確認する。図３に示す読み取り結果表示画面Ｄ１において、操作受付部１０３がボタンｂ１の押下操作を受け付けると、すなわち、画像読取結果が正しいことを示す指示を受け付けると（ステップＳ１３においてＹＥＳ）、動作制御部１０２は、記憶部１６０に、読み取り結果表示画面Ｄ１に示されているページ順の画像データを記憶させる（ステップＳ１４）
【００３１】
一方、図３に示す読み取り結果表示画面Ｄ１において、操作受付部１０３がボタンｂ３の押下操作を受け付けると、すなわち、画像読取結果が正しくなく、再度画像の読み取りを行うべき旨の指示を受け付けると（ステップＳ１５においてＮＯ）、ステップＳ１１の処理に戻り、動作制御部１０２は、再度画像の読取処理を実行する。ここで、画像読取結果が正しくない場合とは、ユーザーが原稿を誤った順序で原稿載置台１１１に載置した結果、読み取ったページのページ順がユーザーが所望するページ順とは異なる場合などがある。
【００３２】
また、図３に示す読み取り結果表示画面Ｄ１において、操作受付部１０３がボタンｂ２の押下操作を受け付けると、すなわち、画像読取結果が正しくなく、ページ順を入れ替えるべき旨の指示を受け付けると（ステップＳ１５においてＹＥＳ）、動作制御部１０２は、表示部１３０にプレビュー画面を表示させる（ステップＳ１６）。
【００３３】
図５（Ａ）は、表示部１３０が表示するプレビュー画面の一例を示す図である。本図に示すように、プレビュー画面Ｄ２は、複数のページａ１〜ａ６が予め定められた方向である右方向にページ順に並んで配置される第１の領域Ｓ１、および、複数のページａ１〜ａ６のうちページ順の入れ替え候補となるページが配置される第２の領域Ｓ２を含む。
【００３４】
上記のプレビュー画面Ｄ２において、操作受付部１０３が、第１の領域Ｓ１に配置されたページａ１〜ａ６のうちの何れか１つのページ内の一点を始点とし、第２の領域Ｓ２の一点を終点としたスライド操作を受け付けると（ステップＳ１７においてＹＥＳ）、動作制御部１０２は、表示部１３０に、上記の始点に示されるページを第２の領域Ｓ２内に表示させる（ステップＳ１８）。また、動作制御部１０２は、表示部１３０に、上記の始点に示されるページを第１の領域Ｓ１から削除させる（ステップＳ１９）。この際、動作制御部１０２は、上記の始点に示されるページの第１の領域Ｓ１において並べられた順序を記憶部１６０に記憶させる。
【００３５】
図５（Ｂ）に示す例では、プレビュー画面Ｄ２に対して、第１の領域Ｓ１のページａ４内の一点Ｐ１を始点とし、第２の領域Ｓ２内の一点Ｐ２を終点としたスライド操作が入力されている。この結果、動作制御部１０２による制御のもと、表示部１３０は、図５（Ｃ）に示されるように、第２の領域Ｓ２にページａ４を表示し、第１の領域Ｓ１からページａ４を削除する。第１の領域Ｓ１からページａ４を削除した結果、ページａ５が４ページ目のページとして、ページａ６が５ページ目のページとして第１の領域Ｓ１内に表示される。
【００３６】
この状態で、操作受付部１０３がボタンｂ４の押下操作を受け付けると、すなわち、ページ順序の入れ替え完了指示を受け付けると（ステップＳ２４においてＹＥＳ）、動作制御部１０２は、画像データのページ順を第１の領域Ｓ１において右方向に並べられたページの順序に変更する（ステップＳ２５）。図５（Ｃ）に示す例では、動作制御部１０２は、画像データのページ順をページａ１を１ページ目とし、ページａ２を２ページ目とし、ページａ３を３ページ目とし、ページａ５を４ページ目とし、ページａ６を５ページ目とする。その後、動作制御部１０２は、ステップＳ２５の処理で変更したページ順の画像データを記憶部１６０に記憶させる（ステップＳ２６）。
【００３７】
またプレビュー画面Ｄ２において、操作受付部１０３が、第２の領域Ｓ２に配置されたページのうち何れか１つのページ内の一点を始点とし、第１の領域Ｓ１の一点を終点としたスライド操作を受け付けると（ステップＳ２０においてＹＥＳ）、動作制御部１０２は、表示部１３０に、上記の始点に示されるページを上記の終点の位置に対応した第１の領域Ｓ１内の位置に表示させる（ステップＳ２１）。
【００３８】
図６（Ａ）および図６（Ｂ）に示す例では、プレビュー画面Ｄ２に対して、第２の領域Ｓ２のページａ４内の一点Ｐ３を始点とし、第１の領域Ｓ１内のページａ６が配置された位置よりも右側に位置する一点Ｐ４を終点としたスライド操作が入力されている。この結果、動作制御部１０２による制御のもと、表示部１３０は、図６（Ｃ）に示されるように、終点Ｐ４に対応した第１の領域Ｓ１内の位置、すなわちページａ６の右側にページａ４を表示し、第２の領域Ｓ２からページａ４を削除する。ページａ６の右側にページａ４が移動した結果、ページａ４が５ページ目のページとして第１の領域Ｓ１内に表示される。
【００３９】
この状態で、操作受付部１０３がページ順序の入れ替え完了指示を受け付けると（ステップＳ２４においてＹＥＳ）、動作制御部１０２は、画像データのページ順をページａ１を１ページ目とし、ページａ３を２ページ目とし、ページａ５を３ページ目とし、ページａ６を４ページ目とし、ページａ４を５ページ目とする（ステップＳ２５）。
【００４０】
このように画像形成装置１０では、ページ順序を変更しようとするページを選択した後に、そのページをページ順の入れ替え候補として保留しておくことが可能となり、ページ順を入れ替える操作におけるユーザー操作性が向上する。
【００４１】
また、プレビュー画面Ｄ２において、操作受付部１０３が、第２の領域Ｓ２に配置されたページのうち何れか１つのページ内の一点を始点とし、第１の領域Ｓ１に向かう方向とは反対側の方向、すなわち下側に向かうスライド操作を受け付けると（ステップＳ２２においてＹＥＳ）、動作制御部１０２は、上記の始点に配置されたページを元の第１の領域Ｓ１において並べられていたページ順に対応する位置に戻す処理を行う（ステップＳ２３）。
【００４２】
既述のとおり、動作制御部１０２は、ステップＳ１９の第１の領域Ｓ１に示されるページを第２の領域Ｓ２に移動させる際に、当該ページの第１の領域Ｓ１において並べられた順序を記憶部１６０に記憶させている。動作制御部１０２は、記憶部１６０から上記の順序を読み出して、その読み出した順序でページが並ぶように表示部１３０にページを表示させる。
【００４３】
図７（Ａ）に示す例では、プレビュー画面Ｄ２に対して、第１の領域Ｓ２のページａ４内の一点Ｐ５を始点とし、下方向に向かうスライド操作が入力されている。この結果、動作制御部１０２による制御のもと、表示部１３０は、図７（Ｂ）に示されるように、ページａ４を第１の領域Ｓ１内における４ページ目の位置に表示する。
【００４４】
このように画像形成装置１０では、プレビュー画面Ｄ２においてユーザーが下方向に向かうスライド操作を入力すれば、ページ順の入れ替え候補として保留していたページを元のページ順序に戻すことができる。ユーザーは、ページ順の入れ替え候補として保留していたページの元のページ順序を記憶しておく必要がなくなり、ユーザー利便性が向上する。
【００４５】
なお、本発明は、上記の実施の形態の構成に限られず種々の変形が可能である。
【００４６】
＜変形例１＞
図８は、変形例１にかかる画像形成装置１０の動作の流れを示すフローチャートである。なお、図４に示すフローチャートと同内容の処理については同符号を付して説明を省略する。
【００４７】
プレビュー画面Ｄ２において、操作受付部１０３が、第２の領域Ｓ２に配置された２つのページ内の各一点を始点としたピンチイン操作を受け付けたとき（ステップＳ３０においてＹＥＳ）、動作制御部１０２は、上記の始点に示される２つのページに応じて合成ページを生成し（ステップＳ３１）、当該生成した合成ページを表示部１３０に第２の領域Ｓ２内に表示させる（ステップＳ３２）。
【００４８】
図９（Ａ）に示す例では、第２の領域Ｓ２に配置されたページａ４内の一点Ｐ７およびページａ２内の一点Ｐ８を始点としたピンチイン操作が入力されている。この結果、動作制御部１０２による制御のもと、表示部１３０は、図９（Ｂ）に示されるように、上記の始点に示される２つのページａ４およびａ２のうち右側に位置するページａ２の上に左側に位置するページａ４が重ね合わされた合成ページｃを表示している。
【００４９】
その後、操作受付部１０３が、第２の領域Ｓ２に配置された合成ページｃ内の一点を始点とし、第１の領域Ｓ１の一点を終点としたスライド操作を受け付けると（ステップＳ３３においてＹＥＳ）、動作制御部１０２は、表示部１３０に、上記の始点に示される合成ページｃに合成された２つのページａ４およびａ２を上記の終点の位置に対応した第１の領域Ｓ１内の位置に表示させる（ステップＳ３４）。
【００５０】
図１０（Ａ）に示す例では、第２の領域Ｓ２の合成ページｃ内の一点Ｐ９を始点とし、第１の領域Ｓ１内のページａ１が配置された位置よりも右側であって、ページａ３が配置された位置よりも左側に位置する一点Ｐ１０を終点としたスライド操作が入力されている。この結果、動作制御部１０２による制御のもと、表示部１３０は、図１０（Ｂ）に示されるように、終点Ｐ１０に対応した第１の領域Ｓ１内の位置、すなわちページａ１とページａ３との間にページａ４およびページａ２を表示し、第２の領域Ｓ２から合成ページｃを削除する。
【００５１】
ここで、動作制御部１０２が表示部１３０に上記の２つのページを第１の領域Ｓ１に表示させる際には、ピンチイン操作において左側に位置するページを先のページ順とし、右側に位置するページを後のページ順とする。図１０（Ｂ）に示す例では、ページａ４が２ページ目のページ順となり、ページａ２が３ページ目のページ順となる。
【００５２】
また、操作受付部１０３が、第２の領域Ｓ２に配置された合成ページｃ内の一点を始点とし下方向に向かうスライド操作を受け付けた場合（ステップＳ３５においてＹＥＳ）、動作制御部１０２は、合成ページｃに含まれる２つのページを元の第１の領域Ｓ１において並べられていたページ順に対応する位置に戻す処理を行う（ステップＳ３６）。
【００５３】
図９（Ｂ）に示す合成ページｃに対して下方向に向かうスライド操作が入力された場合、動作制御部１０２は、表示部１３０に、合成ページｃに含まれるページａ４を第１の領域Ｓ１における４ページ目のページが示される位置に表示させ、ページａ２を第１の領域Ｓ１における２ページ目のページが示される位置に表示させる。
【００５４】
以上のように、変形例１にかかる画像形成装置１０によれば、ページ順を変更する際に、複数のページからなる合成ページを生成して、当該合成ページ単位でページの順序を変更する。これにより、１ページずつそのページ順を変更する操作をおこなわなくとも、２つのページをまとめてページ順を変更することが可能となる。
【００５５】
＜変形例２＞
変形例２にかかる画像形成装置１０は、変形例１にかかる画像形成装置１０と同様に、複数のページからなる合成ページを生成して、当該合成ページ単位でページの順序を変更するものであるが、合成ページを構成する複数のページを選択する方法が異なる。
【００５６】
図１１（Ａ）〜図１１（Ｃ）を用いて、変形例２にかかる画像形成装置１０において合成ページを構成する複数のページを選択する方法について説明する。
【００５７】
変形例２にかかる画像形成装置では、操作受付部１０３が第２の領域Ｓ２内におけるスライド操作を受け付けた場合に、動作制御部１０２が、表示部１３０に、スライド操作における軌跡と交差した第２の領域Ｓ２に配置された複数のページに応じて合成ページを生成する。このとき、動作制御部１０２は、合成ページ内におけるページの順序を、上記のスライド操作における軌跡と交差した順序とする。そして、動作制御部１０２は、当該生成した合成ページを表示部１３０に表示させる。
【００５８】
図１１（Ｂ）に示す例では、ページａ３、ページａ４、ページａ５、およびページａ２がこの順でスライド操作における軌跡と交差している。動作制御部１０２は、ページａ３、ページａ４、ページａ５、およびページａ２からなる合成ページを生成する。このとき、動作制御部１０２は、合成ページ内におけるページの順序を、上記のスライド操作における軌跡と交差した順序とする。すなわち、動作制御部１０２は、ページａ３を合成ページ内における１ページ目のページとし、ページａ４を合成ページ内における２ページ目のページとし、ページａ５を合成ページ内における３ページ目のページとし、ページａ２を合成ページ内における４ページ目のページとした合成ページを生成する。
【００５９】
また、図１１（Ｃ）に示す例では、ページａ４、ページａ２、ページａ３、およびページａ５がこの順でスライド操作における軌跡と交差している。動作制御部１０２は、ページａ４、ページａ２、ページａ３、およびページａ５からなる合成ページを生成する。このとき、動作制御部１０２は、ページａ４を合成ページ内における１ページ目のページとし、ページａ２を合成ページ内における２ページ目のページとし、ページａ３を合成ページ内における３ページ目のページとし、およびページａ５を合成ページ内における４ページ目のページとした合成ページを生成する。
【００６０】
その後、操作受付部１０３が第２の領域Ｓ２に配置された上記の合成ページ内の一点を始点とし、第１の領域Ｓ１の一点を終点としたスライド操作を受け付けた場合、動作制御部１０２は、表示部１３０に、始点に示される合成ページに合成された複数のページを終点の位置に対応した第１の領域Ｓ１内の位置に表示させる。このとき、動作制御部１０２は、表示部１３０に、合成ページに含まれるページを合成ページ内におけるページの順序で並べて表示させる。すなわち、動作制御部１０２は、表示部１３０に、合成ページに含まれるページをスライド操作における軌跡と交差した順序で並べて表示させる。
【００６１】
上記のように変形例２にかかる画像形成装置１０によれば、スライド操作という直感的な操作で合成ページを構成する複数のページを選択することが可能となる。
【００６２】
なお、上記の実施の形態および変形例では、情報処理装置の一例として画像形成装置を示したが本発明は必ずしもこの場合に限定されない。本発明の一実施形態にかかる情報処理装置は、画像形成装置の他に、例えば、パーソナルコンピューターやスマートフォン等の携帯端末に適応することができる。
【００６３】
また、上記の実施の形態および変形例で説明した情報処理プログラムをコンピューター読み取り可能な非一時的な記録媒体、例えば、ハードディスク、ＣＤ−ＲＯＭ、ＤＶＤ−ＲＯＭ、半導体メモリーなどに記録したものとしてもよい。
【符号の説明】
【００６４】
１０    画像形成装置
１００  制御ユニット
１０１  制御部
１０２  動作制御部
１０３  操作受付部
１０４  通信制御部
１１０  画像読取部
１１１  原稿載置台
１２０  画像形成部
１３０  表示部
１４０  タッチパネル
１５０  操作部
１６０  記憶部
【図１】
2017079002.tif 000003
【図２】
2017079002.tif 000004
【図３】
2017079002.tif 000005
【図４】
2017079002.tif 000006
【図５】
2017079002.tif 000007
【図６】
2017079002.tif 000008
【図７】
2017079002.tif 000009
【図８】
2017079002.tif 000010
【図９】
2017079002.tif 000011
【図１０】
2017079002.tif 000012
【図１１】
2017079002.tif 000013